(57)【要約】【課題】本発明の課題は、スイッチングハブをケーブルにより多段にカスケード接続する配線形態において、各スイッチングハブに接続されたノードが同時に通信した場合に、帯域のばらつきがなく全ノード対等の最低保証帯域にし得、且つ縦系にケーブルを多条敷設できない建物をブロードバンド化し得る配線システムを提供することにある。【解決手段】本発明は、複数のスイッチングハブ７〜１１をケーブルにより多段にカスケード接続した配線システムにおいて、上段側のスイッチングハブのユーザポートに接続された複数のノードと、下段側のスイッチングハブのユーザポートに接続された複数のノードが同時に通信を行う際に、各ノードに帯域を割り当てる帯域制御機能部を設けたことを特徴とするものである。【選択図】      図２
2005057421.tif 000002
【特許請求の範囲】
【請求項１】
複数のスイッチングハブをケーブルにより多段にカスケード接続した配線システムにおいて、
上段側のスイッチングハブのポートに接続された複数のノードと、下段側のスイッチングハブのポートに接続された複数のノードが同時に通信を行う際に、各ノードに帯域を割り当てる帯域制御機能部を設けたことを特徴とする配線システム。
【請求項２】
スイッチングハブとして、アクセスネットワークもしくはルータあるいは上段側のスイッチングハブが接続されるアップリンクポートと、下段側のスイッチングハブが接続されるダウンリンクポートと、複数のノードが接続されるユーザポートと、前記アップリンクポートと前記ダウンリンクポート間、及び前記アップリンクポートと前記ユーザポート間に設けられた帯域制御機能部とよりなるスイッチングハブを用いることを特徴とする請求項１記載の配線システム。
【請求項３】
帯域制御機能部は、アップリンクポート、ダウンリンクポート、及びユーザポートが同時通信中の場合に、アップリンクポートとダウンリンクポート間のトラヒックと、アップリンクポートとユーザポート間のトラヒックとの帯域比率を３：１にすることを特徴とする請求項２記載の配線システム。
【発明の詳細な説明】
【技術分野】
【０００１】
本発明は、複数のスイッチングハブをケーブルにより多段にカスケード接続した配線形態において、スイッチングハブに接続された各ノードに対等な帯域を割り当てることが可能な配線システムに関する。
【背景技術】
【０００２】
これまでの集合住宅内の配線システムはスイッチングハブを中心としたスター型配線であった。このスター型配線方法はスイッチングハブに接続される各ノードが同時に通信を行う場合において同等の帯域を割り当てるために用いられているが、既築集合住宅等では縦系にＬＡＮ（Ｌｏｃａｌ  Ａｒｅａ  Ｎｅｔｗｏｒｋ）ケーブルを多条敷設することが困難であり、居住者はワイヤレスやＶＤＳＬ（超高速デジタル加入者回線）によって最大５０Ｍｂｐｓ程度の技術を選択するしかなかった。またスイッチングハブを多段にカスケード接続した場合は、アクセスネットワークもしくはルータ等に近い上段側に接続されたスイッチングハブのポートに接続された複数のノードと下段側に接続されたスイッチングハブのポートに接続された複数のノードが同時に通信を行う際に、上段側に接続されたノードが優先され、下段側に接続されたノードの帯域が極端に減少するといった問題がある。
従来の先行技術文献として非特許文献１がある。
【０００３】
【非特許文献１】日本電信電話株式会社  他  編著  「ビル内光ネットワーク導入ガイド」  １９９７年１０月発行
【発明の開示】
【発明が解決しようとする課題】
【０００４】
本発明は上記の事情に鑑みてなされたもので、スイッチングハブをケーブルにより多段にカスケード接続する配線形態において、各スイッチングハブに接続されたノードが同時に通信した場合に、帯域のばらつきがなく全ノード対等の最低保証帯域にし得、且つ縦系にケーブルを多条敷設できない建物をブロードバンド化し得る配線システムを提供することを目的とする。
【課題を解決するための手段】
【０００５】
上記目的を達成するために本発明は、複数のスイッチングハブをケーブルにより多段にカスケード接続した配線システムにおいて、上段側のスイッチングハブのポートに接続された複数のノードと、下段側のスイッチングハブのポートに接続された複数のノードが同時に通信を行う際に、各ノードに帯域を割り当てる帯域制御機能部を設けたことを特徴とするものである。
【０００６】
また本発明は、前記配線システムにおいて、スイッチングハブとして、アクセスネットワークもしくはルータあるいは上段側のスイッチングハブが接続されるアップリンクポートと、下段側のスイッチングハブが接続されるダウンリンクポートと、複数のノードが接続されるユーザポートと、前記アップリンクポートと前記ダウンリンクポート間、及び前記アップリンクポートと前記ユーザポート間に設けられた帯域制御機能部とよりなるスイッチングハブを用いることを特徴とするものである。
【０００７】
また本発明は、前記配線システムにおいて、帯域制御機能部は、アップリンクポート、ダウンリンクポート、及びユーザポートが同時通信中の場合に、アップリンクポートとダウンリンクポート間のトラヒックと、アップリンクポートとユーザポート間のトラヒックとの帯域比率を３：１にすることを特徴とするものである。
【発明の効果】
【０００８】
本発明の配線システムは、スイッチングハブをケーブルにより多段にカスケード接続する配線形態において、各スイッチングハブに接続されたノードが同時に通信した場合に、帯域のばらつきがなく全ノード対等の最低保証帯域にすることが可能であり、且つ縦系にケーブルを多条敷設できない建物をブロードバンド化することができる。
【発明を実施するための最良の形態】
【０００９】
以下図面を参照して本発明の実施の形態例を詳細に説明する。
図１は本発明の実施形態例に係るスイッチングハブを示す構成説明図である。図において、１はアクセスネットワークもしくはルータ等あるいは上段側のスイッチングハブが接続されるアップ（ＵＰ）リンクポート、２は下段側のスイッチングハブが接続されるダウン（ＤＯＷＮ）リンクポート、３は複数のノードが接続されるユーザポート、４はアップリンクポートとユーザポート間のトラヒック、５はアップリンクポートとダウンリンクポート間のトラヒック、６はアップリンクポートとユーザポート間およびアップリンクポートとダウンリンクポート間に設けられた帯域制御機能部、３０はスイッチングハブである。すなわち、アップリンクポート１、ダウンリンクポート２、およびユーザポート３が同時に通信中の場合に、アップリンクポート１とダウンリンクポート２間のトラヒックと、アップリンクポート１とユーザポート３間のトラヒックとの帯域比率を３：１にし、全トラヒックの７５％をアップリンクポート１とダウンリンクポート２相互の通信に割り当てられる。
【００１０】
図２は本発明の実施形態例に係る配線システムを示す構成説明図である。図において、７はスイッチングハブ（１段目）、８はスイッチングハブ（２段目）、９はスイッチングハブ（３段目）、１０はスイッチングハブ（４段目）、１１はスイッチングハブ（５段目）、１２はスイッチングハブ７のユーザポート７３の帯域（１段目）で例えば２５Ｍｂｐｓ、１３はスイッチングハブ８のユーザポート８３の帯域（２段目）で例えば１８．７５Ｍｂｐｓ、１４はスイッチングハブ９のユーザポート９３の帯域（３段目）で例えば１４．０７Ｍｂｐｓ、１５はスイッチングハブ１０のユーザポート１０３の帯域（４段目）で例えば１０．５４Ｍｂｐｓ、１６はスイッチングハブ１１のユーザポート１１３の帯域（５段目）で例えば３１．６４Ｍｂｐｓ、１７はスイッチングハブ７とスイッチングハブ８間のトラヒックで例えば７５Ｍｂｐｓ、１８はスイッチングハブ８とスイッチングハブ９間のトラヒックで例えば５６．２５Ｍｂｐｓ、１９はスイッチングハブ９とスイッチングハブ１０間のトラヒックで例えば４２．１８Ｍｂｐｓ、２０はスイッチングハブ１０とスイッチングハブ１１間のトラヒックで例えば３１．６４Ｍｂｐｓ、２１はアクセスラインのトラヒックで例えば１００Ｍｂｐｓ、７１，８１，９１，１０１，１１１はアップリンクポート、７２，８２，９２，１０２，１１２はダウンリンクポート、７６，８６，９６，１０６，１１６は帯域制御機能部である。
【００１１】
すなわち、スイッチングハブ７のアップリンクポート７１にはアクセスネットワークに接続されたアクセスラインが接続され、アップリンクポート７１には帯域制御機能部７６を介してユーザポート７３が接続され、ユーザポート７３には複数のノードが接続される。前記アップリンクポート７１には帯域制御機能部７６を介してダウンリンクポート７２が接続され、ダウンリンクポート７２にはスイッチングハブ８のアップリンクポート８１が接続される。アップリンクポート８１には帯域制御機能部８６を介してユーザポート８３が接続され、ユーザポート８３には複数のノードが接続される。前記アップリンクポート８１には帯域制御機能部８６を介してダウンリンクポート８２が接続され、ダウンリンクポート８２にはスイッチングハブ９のアップリンクポート９１が接続される。アップリンクポート９１には帯域制御機能部９６を介してユーザポート９３が接続され、ユーザポート９３には複数のノードが接続される。前記アップリンクポート９１には帯域制御機能部９６を介してダウンリンクポート９２が接続され、ダウンリンクポート９２にはスイッチングハブ１０のアップリンクポート１０１が接続される。アップリンクポート１０１には帯域制御機能部１０６を介してユーザポート１０３が接続され、ユーザポート１０３には複数のノードが接続される。前記アップリンクポート１０１には帯域制御機能部１０６を介してダウンリンクポート１０２が接続され、ダウンリンクポート１０２にはスイッチングハブ１１のアップリンクポート１１１が接続される。アップリンクポート１１１には帯域制御機能部１１６を介してユーザポート１１３が接続され、ユーザポート１１３には複数のノードが接続される。前記アップリンクポート１１１には帯域制御機能部１１６を介してダウンリンクポート１１２が接続される。
【００１２】
このように、複数のスイッチングハブ７〜１１をケーブルにより多段にカスケード接続した配線システムにおいて、上段側のスイッチングハブのユーザポートに接続された複数のノードと、下段側のスイッチングハブのユーザポートに接続された複数のノードが同時に通信を行う際に、帯域制御機能部は各ノードに対等な帯域を割り当てることができる。
【００１３】
このような配線システムに用いるスイッチングハブは、上段側のアクセスネットワーク、ルータやスイッチングハブまたは下段側のスイッチングハブに接続する専用のアップ／ダウンリンクポートと、ノードが接続されるユーザポートを具備し、アップ／ダウンリンクポート相互及びアップ／ダウンリンクポートとユーザポートの通信が同時に行われた場合に限りアップ／ダウンリンクポートとユーザポートの帯域を絞込み、アップ／ダウンリンクポート相互の通信を優先する帯域制御を行うことにより全ユーザポートに対等な帯域を割り当てる構造である。集合住宅、オフィス、個人宅等にこの配線システムを適用する場合は、居住者に対等の帯域を保証するためにアップ／ダウンリンクポートとユーザポートの間に帯域制御の割合を決定し、スイッチングハブはこの帯域制御機能部を実装している。この帯域制御の割合は製造、施工、運用を考慮すると、スイッチングハブの段数やノード数を問わず均一な値を固定的に付与する必要がある。帯域制御の割合はＬＡＮケーブルの配線が最も困難である中規模集合住宅をモデルに算出した結果、アップ／ダウンリンクポートとユーザポートの帯域比率は３：１であり、この比率により全ユーザポートに対等な帯域を割り当てることが可能な配線システムである。
【００１４】
この配線システムはＬＡＮケーブルのスター型配線を必要としないためケーブルを配線するための通信インフラ基盤工事や配線工事のコストを抑えることができる。また各フロアにスイッチングハブが設置されることになり、これまで１本の開通に多大な稼動を要してきたブロードバンド化工事が通常の電話工事と同等となることから受注から開通までの工期短縮を図ることができる。
【００１５】
この配線システムによれば、次のような効果が得られる。
（１）  ＬＡＮケーブルのスター型配線を必要としないためケーブルを配線するための通信インフラ基盤工事や配線工事のコストを抑えることができる。
【００１６】
（２）  各フロア等、スイッチングハブが分散設置されることになり、これまで１本の開通に多大な稼動を要してきたブロードバンド化工事が通常の電話工事と同等となり工期短縮が図れる。
【産業上の利用可能性】
【００１７】
本発明は、建物の縦系に１条のＬＡＮケーブルを配線することにより、建物の縦系にＬＡＮケーブルを多条敷設できない既築集合住宅のようにケーブル配線スペースがなく、ＬＡＮケーブルをスター型配線できない建物をブロードバンド化し、且つ居住者に対等な帯域を割り当てることが可能な配線システムとして有用である。
【図面の簡単な説明】
【００１８】
【図１】本発明の実施形態例に係る配線システムに用いられるスイッチングハブを示す構成説明図である。
【図２】本発明の実施形態例に係る配線システムの５段カスケード時の帯域保証例を示す説明図である。
【符号の説明】
【００１９】
１…アップリンクポート、２…ダウンリンクポート、３…ユーザポート、４…アップリンクポートとユーザポートのトラヒック、５…アップ／ダウンリンクポート相互のトラヒック、６…帯域制御機能部、７…スイッチングハブ（１段目）、８…スイッチングハブ（２段目）、９…スイッチングハブ（３段目）、１０…スイッチングハブ（４段目）、１１…スイッチングハブ（５段目）、１２…ユーザポートの帯域（１段目）、１３…ユーザポートの帯域（２段目）、１４…ユーザポートの帯域（３段目）、１５…ユーザポートの帯域（４段目）、１６…ユーザポートの帯域（５段目）、１７…スイッチングハブ１段目〜２段目のトラヒック、１８…スイッチングハブ２段目〜３段目のトラヒック、１９…スイッチングハブ３段目〜４段目のトラヒック、２０…スイッチングハブ４段目〜５段目のトラヒック、２１…アクセスラインのトラヒック。
【図１】
2005057421.tif 000003
【図２】
2005057421.tif 000004